(57)【要約】  【課題】高圧リード線の数を増やすことなく多数のランプの両端に高電圧を印加できるようにする。  【解決手段】第１の点灯用電源供給ボード６と第２の点灯用電源供給ボード８が並列状に多数配置されたランプ２の各両端側に配置される。各ボード６，８に取り付けられた変圧器１２の互いに逆相の２次側高電圧出力端子２６，２８が対応するランプ２の電極にリード線を介して接続する。第１の点灯用電源供給ボード６側の変圧器１２の各１次側入力端子Ａ，Ｂは第１の点灯用電源供給ボード６側の接続端子３８，４０に並列に接続され、第２の点灯用電源供給ボード８側の変圧器１２の各１次側入力端子Ａ，Ｂは第２の点灯用電源供給ボード８側の接続端子４２，４４に並列に接続される。一方の接続端子３８と他方の接続端子４２，４４はリード線Ｌ１，Ｌ２により接続される【選択図】図３
2007329098.tif 000002
【特許請求の範囲】
【請求項１】
フレームに複数のランプを配置し、各ランプの電極をフレームの一方側と該一方側に対して所定間隔を存した他方側に配置し、各ランプの各両端の電極に変圧器の２次側の互いに逆相の出力電圧を印加するようにしたランプ点灯装置であって、前記フレームの一方側に配置された第１のボードと、前記フレームの他方側に配置された第２のボードと、前記第１のボードに取り付けられ１次側入力端子と２次側高電圧出力端子とを有し該２次側高電圧出力端子が対応するランブの電極にリード線を介して接続する一方側変圧器と、前記第２のボードに取り付けられ１次側入力端子と２次側高電圧出力端子とを有し該２次側高電圧出力端子が対応するランブの電極にリード線を介して接続する他方側変圧器と、前記第１のボードに設けられた変圧器の１次側用の交流信号出力ポイントと、前記第１のボードに設けられ前記交流信号出力ポイントに接続する第１の接続ポイントと、前記第２のボードに設けられ前記第１の接続ポイントとリード線を介して接続する第２の接続ポイントとを備え、前記一方側変圧器の各１次側入力端子を前記第１の接続ポイントに並列に接続し、前記他方側変圧器の各１次側入力端子を前記第２の接続ポイントに並列に接続し、前記ランプの各一端の電極に接続する前記２次側高電圧出力端子の出力と各他端の電極に接続する前記２次側高電圧出力端子の出力とを互いに逆相としたことを特徴とするランプ点灯装置。
【請求項２】
前記第１のボードはプリント基板により構成され、該プリント基板に前記変圧器の１次側に入力される高周波信号を造出するためのインバータ制御ＩＣと該インバータ制御ＩＣに駆動されるスイッチング素子を有する制御回路を取り付けたことを特徴とする請求項１に記載のランプ点灯装置。
【請求項３】
前記ランプがＣＣＦＬ又はＥＥＦＬなどの冷陰極管であることを特徴とする請求項１に記載のランプ点灯装置。
【請求項４】
前記変圧器が１入力１出力型又は１入力複数出力型の巻線型トランスであることを特徴とする請求項１に記載のランプ点灯装置。
【請求項５】
前記ランプはフレームに支持され、該フレームは表面板と底板とを有し前記表面板に液晶ユニットとほぼ同一の大きさの開口部が形成され、該開口部に光透過型の光拡散板が張設されていることを特徴とする請求項１に記載のランプ点灯装置。
【請求項６】
前記第１と第２のボードを前記フレームの底板の下面に固定したことを特徴とする請求項５に記載のランプ点灯装置。
【請求項７】
前記フレーム、ランプ及び第１と第２のボードとを一体的に結合して単一化したことを特徴とする請求項５に記載のランプ点灯装置。
【発明の詳細な説明】
【技術分野】
【０００１】
本発明は、各種形状の冷陰極型蛍光ランプ（ＣＣＦＬ）あるいは外部電極蛍光ランプ（ＥＥＦＬ）などのランプを点灯するための点灯装置に関する。
【背景技術】
【０００２】
従来、直列に接続した２本の放電ランプの一方端と他方端の電極に巻線型トランスの２次巻線の２次側高電圧出力端子を接続し、放電ランプの両端に逆相の高電圧を印加するようにしたランプ点灯装置が知られている（例えば特許文献１参照）。また、ランプ支持枠にインバータボードを結合し、インバータボードに装着した巻線型トランスの２次巻線の２次側高電圧出力端子にリード線を介してランプ支持枠に支持された冷陰極型蛍光ランプの電極を接続し、該冷陰極型蛍光ランプを点灯するようにしたバックライト照明ユニットが知られている（例えば特許文献２参照）。
【特許文献１】特開２００４−２４７２８０号公報
【特許文献２】特開２００２−３０４９１０号公報
【発明の開示】
【発明が解決しようとする課題】
【０００３】
真っ直ぐに延びる細長状の冷陰極型蛍光ランプ（ＣＣＦＬ）や外部電極蛍光ランプ（ＥＥＦＬ）などの直管型放電ランプを並列状に多数フレーム上に配置し、各ランプの両端に変圧器の２次側高電圧出力端子を接続し、各ランプの両端に高電圧を印加する構成とした場合、変圧器の２次側高電圧出力端子とランプの電極との間に距離があると、ランプの電極に接続するリード線（導線）が長くなってしまう。しかも、このリード線が各ランプの電極ごとに接続されるため複雑な高圧線接続配置構成となる。変圧器の１次側に交流入力信号を供給するインバータボードは、通常、前記フレームの片側に取り付けられる。この場合、フレーム上に並列配置されるランプの各一端の電極はインバータボードに搭載される変圧器の２次側のコネクタと近接対向配置されるため、コネクタ、電極間のリード線は短くてすむ。しかるに、各ランプの他端の電極は、前記コネクタから遠く離れるため、これらを接続するリード線は長くなり、多数の長いリード線がフレームに沿って配置されることになる。フレーム上に長い高圧のリード線が多数配線されると、危険であり、しかもリード線同士及びリード線とフレーム間の容量結合により、漏れ電流が発生し、各ランプを安定的に点灯させることが難しいという問題点がある。
また直管型ランプ以外のＵ字状の放電管やジグザグ状に屈曲した屈曲放電管を左右２列でフレームに配置し、フレームの左側に１列目の複数の放電管の電極が並び、フレームの右側に２列目の放電管の電極が並んだ場合にも、フレームの片側だけに変圧器を配置した場合には上記と同様の問題が生じる。また、フレームの左右でなく、前後に放電管の電極が並んだ場合も上記と同様の問題が生じることになる。
本発明の主たる目的は上記問題点を解決することである。
また本発明の他の目的は、液晶ディスプレイ装置の小型薄型化に適した液晶バックライト用照明ユニットを提供することである。
【課題を解決するための手段】
【０００４】
上記目的を達成するため本発明は、フレームに複数のランプを配置し、各ランプの電極をフレームの一方側と該一方側に対して所定間隔を存した他方側に配置し、各ランプの各両端の電極に変圧器の２次側の互いに逆相の出力電圧を印加するようにしたランプ点灯装置であって、前記フレームの一方側に配置された第１のボードと、前記フレームの他方側に配置された第２のボードと、前記第１のボードに取り付けられ１次側入力端子と２次側高電圧出力端子とを有し該２次側高電圧出力端子が対応するランブの電極にリード線を介して接続する一方側変圧器と、前記第２のボードに取り付けられ１次側入力端子と２次側高電圧出力端子とを有し該２次側高電圧出力端子が対応するランブの電極にリード線を介して接続する他方側変圧器と、前記第１のボードに設けられた変圧器の１次側用の交流信号出力ポイントと、前記第１のボードに設けられ前記交流信号出力ポイントに接続する第１の接続ポイントと、前記第２のボードに設けられ前記第１の接続ポイントとリード線を介して接続する第２の接続ポイントとを備え、前記一方側変圧器の各１次側入力端子を前記第１の接続ポイントに並列に接続し、前記他方側変圧器の各１次側入力端子を前記第２の接続ポイントに並列に接続し、前記ランプの各一端の電極に接続する前記２次側高電圧出力端子の出力と各他端の電極に接続する前記２次側高電圧出力端子の出力とを互いに逆相としたことを特徴とする。
また本発明は、前記第１のボードはプリント基板により構成され、該プリント基板に前記変圧器の１次側に入力される高周波信号を造出するためのインバータ制御ＩＣと該インバータ制御ＩＣに駆動されるスイッチング素子を有する制御回路を取り付けたことを特徴とする。
また本発明は、前記ランプがＣＣＦＬ又はＥＥＦＬなどの冷陰極管であることを特徴とする。
また本発明は、前記変圧器が１入力１出力型又は１入力複数出力型の巻線型トランスであることを特徴とする。
また本発明は、前記ランプはフレームに支持され、該フレームは表面板と底板とを有し前記表面板に液晶ユニットとほぼ同一の大きさの開口部が形成され、該開口部に光透過型の光拡散板が張設されていることを特徴とする。
また本発明は、前記第１と第２のボードを前記フレームの底板の下面に固定したことを特徴とする。
また本発明は、前記フレーム、ランプ及び第１と第２のボードとを一体的に結合して単一化したことを特徴とするものである。
【発明の効果】
【０００５】
本発明は上記のように構成することで、並列状に配置された多数の直管型ランプの両端に高電圧を供給することができるとともに、ランプの全長にわたるランプ駆動用の高圧リード線を無くすあるいは減らすことができランプの配線構造を簡単にすることができる。
【発明を実施するための最良の形態】
【０００６】
以下に本発明の実施の形態を添付した図面を参照して詳細に説明する。
図１は本発明に係る直管型ランプ点灯装置の一実施形態である液晶バックライト用照明ユニットの全体概略構成を示している。照明ユニットは多数の冷陰極型蛍光ランプ（ＣＣＦＬ）や外部電極蛍光ランプ（ＥＥＦＬ）などの直管型のランプ２を支持するフレーム４と、ランプ２群の両側に位置して、前記フレーム４に一体的に固定された点灯用電源供給ボード６，８とから構成される。フレーム４は、電子機器に搭載された液晶ユニット（図示省略）の裏側に配置され、電子機器に固定される構成となっている。そのため、フレーム４には該フレーム４を液晶ユニットに固定するための取付部（図示省略）及びフレーム４を電子機器のボデイに固定するための取付部１０が設けられている。点灯用電源供給ボード６，８は、ガラスエポキシ樹脂等からなるプリント基板により構成され、これにセラミック圧電トランスや巻線型トランスなどからなる変圧器１２が取り付けられている。
【０００７】
一方側の点灯用電源供給ボード６にはインバータＬＳＩからなる高周波インバータ制御用ＩＣ（集積回路）１４、ＭＯＳＦＥＴによるブリッジ出力回路を含む制御回路１６及び保護回路１８が取り付けられ、これらは印刷配線技術により相互に結合している。前記高周波インバータ制御用ＩＣ１４は、外付けの制御回路１６のブリッジ出力回路をドライブして、数１０Ｗまでの高周波電力を制御できるように構成されている。前記フレーム４の側部には、コネクタ２０が固設され、該コネクタ２０の入力側に電子回路駆動電源が入力される２つの端子と、調光信号が入力される１つの端子が設けられている。前記高周波インバータ制御用ＩＣ１４、制御回路１６、保護回路１８は前記コネクタ２０に接続し、コネクタ２０を介して外部から電子回路駆動電源が供給されるように構成されている。また、高周波インバータ制御用ＩＣ１４の調光信号入力端子には、コネクタ２０を通じて調光信号が入力されるように構成されている。前記フレーム４には多数の真っ直ぐな棒状の、即ち直管型のランプ２が並列状に配置され、各直管型ランプの両端部が端子ブロック２２，２４を介してフレーム４に脱着可能に固定されている。
【０００８】
前記各直管型ランプ２の一方の端子ブロック２２に保持された電極は、リード線を介して、図３に示すように、最短距離で左側の点灯用電源供給ボード６の高電圧出力端子２６に接続している。この高電圧出力端子２６は変圧器１２の多数の２次巻線ごとに設けられている。また、直管型ランプ２の他方の各電極はリード線を介して最短距離で右側の点灯用電源供給ボード８の高電圧出力端子２８に接続している。この高電圧出力端子２８は右側の変圧器１２の多数の２次巻線ごとに設けられている。左側の点灯用電源供給ボード６の各高電圧出力端子２６は互いに極性が同一であり、右側の点灯用電源供給ボード８の高電圧出力端子２８は、左側の高電圧出力端子２６に対して逆の極性となっている。
【０００９】
本実施形態では、複数の変圧器１２は、同一構成の巻線型トランスを使用し、各変圧器１２の一次側は、図３に示すように、制御回路１６の高周波信号出力ポイントａ，ｂに並列に接続している。制御回路１６は、高周波インバータ制御用ＩＣ１４の出力ドライバによって駆動されるフルブリッジ構成のＭＯＳＦＥＴからなるスイッチング素子Ｆ１，Ｆ２，Ｆ３，Ｆ４を備えている。スイッチング素子Ｆ１，Ｆ２，Ｆ３，Ｆ４の各ゲートは、高周波インバータ制御用ＩＣ１４の出力ドライバによって制御され、スイッチング素子Ｆ１，Ｆ２，Ｆ３，Ｆ４のオンオフ動作によって直流電源の前記各変圧器１２の一次側への通電方向が正逆方向に変換され、回路駆動電源が各変圧器１２の一次側に高周波の交流信号として入力される。
【００１０】
各変圧器１２の１次巻線からなるインダクタＬとこれに接続するキャパシタＣとは、直列共振回路を構成し、制御回路１６の高周波信号出力ポイントａ，ｂに並列に接続する各変圧器１２の一次側は、同一の周波数で共振する。各直管型ランプ２の一方の電極がリード線を介して接続する、図３中、左側の点灯用電源供給ボード６の各高電圧出力端子２６は、バラストコンデンサを介して左側の各変圧器１２の２次巻線の高電圧出力端子３０に接続している。左側の各変圧器１２の２次巻線のグランド端子３２は、シャント抵抗ＲＳを介して、点灯用電源供給ボード６に接地されている。右側の点灯用電源供給ボード８の各高電圧出力端子２８は、バラストコンデンサを介して右側の対応する各変圧器１２の２次巻線の高電圧出力端子３４に接続している。右側の各変圧器１２の２次巻線のグランド端子３６は、右側の点灯用電源供給ボード８にそれぞれ接地されている。前記左側の変圧器１２の各高電圧出力端子３０と右側の変圧器１２の各高電圧出力端子３４は、互いに逆相となっており、一方がプラスのとき他方はマイナスとなり、各直管型ランプ２の両端の電極に逆極性の電圧が印加されるように構成されている。
【００１１】
前記左側の各変圧器１２の１次巻線の、一端側の前記高周波信号出力端子ａに接続する端子Ａは、点灯用電源供給ボード６の接続端子４０にそれぞれ接続し、各１次巻線の他端側の前記高周波信号出力端子ｂに接続する端子Ｂは、点灯用電源供給ボード６の接続端子３８にそれぞれ並列に接続している。右側の各変圧器１２の１次巻線の各一端の端子Ａはそれぞれ点灯用電源供給ボード８の接続端子４４に並列に接続し、各１次巻線の各他端の端子Ｂは、それぞれ点灯用電源供給ボード８の接続端子４２に並列に接続している。前記左側の接続端子３８と右側の接続端子４２は１本のリード線Ｌ１で接続され、左側の接続端子４０と右側の接続端子４４は１本のリード線Ｌ２で接続されている。前記リード線Ｌ１，Ｌ２はフレーム４の側壁に形成された溝に沿ってれに配置されている。左側の点灯用電源供給ボード６には、ランプ電流が異常に急増したりあるいはランプが切れた場合にこれを検出し、本装置を保護するための保護回路１８が設けられている。保護回路１８は、各直管型ランプ２を流れる電流の大きさをシャント抵抗ＲＳの電位を抽出して検出する。保護回路１８はこの検出信号に基づいてその検出信号の合計値の大きさに応じた直流信号を出力端４６から出力し、電圧信号として、高周波インバータ制御用ＩＣ１４の電流信号入力端に入力する。
【００１２】
高周波インバータ制御用ＩＣ１４の電流信号入力端子は、電圧信号入力端子と全く同じ機能の入力端子で、ラッチ機能を内蔵し、３．５ボルトのスレッショルド電圧を持っている。電流信号入力端子にスレッショルド電圧を超える電圧が入力されると、高周波インバータ制御用ＩＣ１４は異常を検出して、高周波インバータ制御用ＩＣ１４の回路の駆動が停止する。また保護回路１８はランプオープン検出回路を備えている。複数の直管型ランプ２の中のいずれか１つが切れると、シャント抵抗ＲＳの電流が流れなくなり、シャント抵抗ＲＳの両端電圧がゼロになる。ランプオープン検出回路はシャント抵抗ＲＳの両端電圧ゼロを検出し、このゼロの電圧信号を高周波インバータ制御用ＩＣ１４の電圧信号入力端子に入力する。高周波インバータ制御用ＩＣ１４はランプオープン状態を検出し、出力ドライバの駆動を停止する。
【００１３】
前記フレーム４は、その表面板４ａに液晶ユニットとほぼ同一の大きさの開口部を有し、全体として薄い箱状に形成されている。フレーム４の開口部には光透過型の光拡散板４８が張設され、光を均一に照射する光均一照射面を形成している。フレーム４はパソコンなどの電子機器に装備される液晶ユニットの裏側に配置され、取付部１０が電子機器に固定される。
上記した構成において、直管型ランプ２、点灯用電源供給ボード６，８、フレーム４、光拡散板４８は一体的に結合し、全体として薄板状のユニット化されたバックライト装置を構成する。このバックライト照明ユニットは液晶ユニットの裏面に重ねて配置され、液晶板を照射する。
【００１４】
次に図４を参照して、本発明の他の実施形態について説明する。
本実施形態は点灯用電源供給ボード５２，５４を直管型ランプ２の両端側に位置させて、フレーム５６の底板５６ａの下面に固定し、この底板５６ａに穴５８を穿設し、各直管型ランプ２の左右の電極のリード線６０を前記穴５８を通じて対応する点灯用電源供給ボード５２，５４の高電圧出力端子に接続したものである。点灯用電源供給ボード５２，５４の接続端子を接続するリード線Ｌ１，Ｌ２は、フレーム５６の下面に配置されている。本実施形態の他の構成は、図１に示す第１の実施形態とほぼ同一であり、その説明を省略する。上記のように、点灯用電源供給ボード５２，５４をフレーム５６の下面に固定することによりフレーム５６の縦、横の寸法を小さくでき照明ユニットのコンパクト化が可能となる。
【００１５】
上記実施形態では、変圧器として同一構成の１入力１出力型巻線トランスを採用したが、本発明の実施に際し、変圧器は巻線型トランスに特に限定されるものではなく圧電トランス等を使用しても良い。また、各直管型ランプ２の接続方法も特に図示する構成に限定されない。また、変圧器は１入力１出力構造のものに特に限定されるものではなく、１入力複数出力の変圧器を使用しても良い。図５は互いに同一構成の１入力４出力型の巻線トランス５０を４個使用した実施形態を示している。各直管型ランプ２の図５中、左側の電極と右側の電極には、互いに逆相の電圧が印加されるように構成されている。
【００１６】
図６は１入力４出力型の巻線トランス５０の底面図である。図中、６４，６６は、互いに平行に並列配置された筒状のボビンであり、それぞれ、図８に示す、Ｉ型のコア６８，７０が挿入配置されている。７２は平板部とその長手方向両端に直角方向に突出する凸部からなるＣ型コアであり、前記２本のＩ型コア６８，７０の配列平面に対して垂直方向に対向配置されている。Ｃ型コア７２の一端凸面７２ａは、端子取付部７３，７４に形成された切り欠き部を介して、２本のＩ型コアの一方に、該各一方にまたがって当接し接着されている。Ｃ型コア７２の他端凸面７２ｂは、端子取付部７６，７８に形成された切り欠き部を介して、２本のＩ型コア６８，７０の各他方に、該各他方にまたがって当接し接着されている。
【００１７】
前記ボビン６４の端子取付部７４と８０との間には、２次巻線８８が巻かれ、端子取付部８２と７８との間には２次巻線９０が巻かれ、端子取付部８０と８２の間には、１次巻線９６ａが巻かれている。また、ボビン６６の前記端子取付部７３と８４との間には、２次巻線９２が巻かれ、端子取付部８６と７６との間には２次巻線９４が巻かれ、端子取付部８４と８６との間には１次巻線９６ｂが巻かれている。図中、各巻線に付けられた矢印は、巻線の巻き始め端を基準とする巻回方向を示している。
２次巻線８８，９０，９２，９４の巻き始め端は、それぞれ端子取付部の溝を介して２次側端子９８，１００，１０２，１０４に接続し、巻き終わり端はリード線を介して、それぞれ、２次側端子１０６，１０８，１１０，１１２に接続している。
【００１８】
前記１次巻線９６ａの両端は、１次側端子１１４，１１６に接続し、前記１次巻線９６ｂの両端は、１次側端子１１８，１２０に接続している。１次側端子１１４と１１８、１１６と１２０はリード線を介して直列に接続され、１次側端子１１８と１２０が入力端子Ａ，Ｂを構成している。２次巻線８８，９０，９２，９４の一次側巻線９６ａ，９６ｂに近い側の端部は、２次側端子１０６，１０８及び１１０，１１２を通じて、それぞれ接地される。二次側端子１０６，１０８及び１１０，１１２はグランド端子を構成し、該グランド端子に高抵抗素子を介して接地される。
【００１９】
１次巻線９６ａ，９６ｂに入力端子Ａ，Ｂを通じて交流信号が入力されると、２本の並列配置されたＩ型コア６８，７０にそれぞれ磁路が形成され、２次巻線８８，９０，９２，９４に高圧の交流出力電圧が発生する。２次側端子９８，１００は、互いに逆相となっている。同様に、２次側端子１０２，１０４も互いに逆相となっている。従って、端子９８，１０２がプラスのとき、端子１００，１０４はマイナスとなる。また、本発明の実施に際しては、各過電流やランプオープンを検出する保護回路を両側の点灯用電源供給ボード６，８，５２，５４に設けてもよい。この場合には、右側の点灯用電源供給ボード８，５４の保護回路を左側の点灯用電源供給ボード６，５２に接続するリード線即ちケーブルが必要となる。
【００２０】
上記実施形態では、ランプとして直管型ランプを用いた場合について説明したが、本発明は直管型ランプを用いた構成に特に限定されるものではなく、Ｕ字状管やジグザグ状に屈曲した屈曲管を用いた構成としても良い。これらのランプをフレームの左右に２列状に複数並べ、これらのランプの両端の電極をフレームの左側と右側に配列した構成にも本発明を適用することができる。即ち本発明は、フレームの左右や前後にランプの電極が並び、これらのランプの両端の電極に逆相の高電圧を印加する構成に適用されるものである。
【図面の簡単な説明】
【００２１】
【図１】本発明に係るランプ点灯装置の概略構成を示す説明的平面図である。
【図２】同上、説明的断面側面図である。
【図３】同上、電子回路説明図である。
【図４】本発明の他の実施形態を示す説明的断面側面図である。
【図５】本発明の他の実施形態を示す説明的電子回路図である。
【図６】変圧器の底面図である。
【図７】変圧器の側面図である。
【図８】変圧器の説明図である。
【符号の説明】
【００２２】
２      直管型ランプ  
４      フレーム
６      点灯用電源供給ボード        
８      点灯用電源供給ボード
１０    取付部
１２    変圧器
１４    高周波インバータ制御用ＩＣ
１６    制御回路
１８    保護回路
２０    コネクタ
２２    端子ブロック
２４    端子ブロック
２６    高電圧出力ポイント
２８    高電圧出力ポイント
３０    高圧端子
３２    グランド端子
３４    高圧端子
３６    グランド端子
３８    接続ポイント
４０    接続ポイント
４２    接続ポイント
４４    接続ポイント
４８    光拡散板
５０    巻線型トランス
５２    点灯用電源供給ボード
５４    点灯用電源供給ボード
５６    フレーム
５８    穴
６０    リード線
６２    リード線
６４    ボビン
６６    ボビン
６８    Ｉ型コア
７０    Ｉ型コア
７２    端子取付部
７４    端子取付部
７６    端子取付部
７８    端子取付部
８０    端子取付部
８２    端子取付部
８４    端子取付部
８６    端子取付部
８８    ２次巻線
９０    ２次巻線
９２    ２次巻線
９４    ２次巻線
９６ａ  １次巻線
９６ｂ  １次巻線
９８    ２次側端子
１００  ２次側端子
１０２  ２次側端子
１０４  ２次側端子
１０６  ２次側端子
１０８  ２次側端子
１１０  ２次側端子
１１２  ２次側端子
１１４  端子
１１６  端子
１１８  端子
１２０  端子
【図１】
2007329098.tif 000003
【図２】
2007329098.tif 000004
【図３】
2007329098.tif 000005
【図４】
2007329098.tif 000006
【図５】
2007329098.tif 000007
【図６】
2007329098.tif 000008
【図７】
2007329098.tif 000009
【図８】
2007329098.tif 000010